(57)【要約】      （修正有）【課題】軽量・強度・耐火・遮音・断熱に優れ、少ない部品で簡単に取り付けられる外壁パネルのリブとその外壁構築方法の提供。【解決手段】長方形状の内板２ａと幅は同じで内板２ａより縦長の長方形状の外板２ｃを略台形状の中板２ｂで連結し、内板２ａの上下部に内部が中空２ｋ、２ｌの上下連結突起２ｄ、２ｅを形成したリブ本体２と、円盤状の平板３ａを左端に備え外周面にネジ山３ｃを施し内部が中空３ｂであり前記上下連結突起２ｄ、２ｅに螺合される補助材３、３とからなることを特徴とするリブと、  リブ１を構成する補助材３に連結棒５を挿通し一端をナット６ａで留め、他端をコーン７及び板９に挿通しナット６ｂで留め、リブ１及び板９の間にできた空間にコンクリート８を流し込んで固め、板９及びコーン７並びに連結棒５の切り捨て部分５ａを取り除いた後の連結棒５の他端をコーン７により形成された空間７ａ内でナット６ｂ留めをした外壁構築方法。【選択図】  図４
2007291758.tif 000002
【特許請求の範囲】
【請求項１】
長方形状の内板と幅は同じで内板より縦長の長方形状の外板を略台形状の中板で連結し、内板の上下部に内部が中空の上下連結突起を形成したリブ本体と、円盤状の平板を左端に備え外周面にネジ山を施し内部が中空であり前記上下連結突起に螺合される補助材とからなることを特徴とするリブ。
【請求項２】
請求項１に記載のリブを構成する補助材に連結棒を挿通し一端をナットで留め、他端をコーン及び板に挿通しナットで留め、リブ及び板の間にできた空間にコンクリートを流し込んで固め、板及びコーン並びに連結棒の切り捨て部分を取り除いた後の連結棒の他端をコーンにより形成された空間内でナット留めをし、前記空間をコンクリートで埋めることを特徴とするリブを使用した外壁構築方法。
【請求項３】
下部に細長い上固定溝を形成した略楕円形状の上連結孔及び下部に細長い下固定溝を形成した略楕円形状の下連結孔を穿設した略長方形状の内板と、前記内板と同じ幅で縦長の外板と、前記内板及び外板を連結する略台形状の中板とからなることを特徴とするリブ。
【請求項４】
上部に２つ続きの凹部を２箇所に設けるととともに下部に２つ続きの凹部を２箇所形成した略Ｔ字状の下連結凸部を備え、左右に２つずつ接続部を備え、複数の空間を穿設した連結板からなり、請求項２に記載のリブを接続部に連結することを特徴とするリブ連結材。
【請求項５】
請求項３に記載のリブを請求項４に記載のリブ連結材の左右に取り付け組み立てたことを特徴とするリブ。
【発明の詳細な説明】
【技術分野】
【０００１】
本発明は、建築物の外壁材として使用される外壁パネルのリブとそれを使用した外壁構築方法及びリブ連結材に関する発明である。
【背景技術】
【０００２】
従来、マンション、アパート等の建築物に使用される外壁には、コンパネを使用した鉄板製の外壁の型枠、石材を加工した石製の外壁、コンクリート製の外壁等があり、重量のある外壁や、前述の外壁よりも軽量で且つ強度が強く、耐火性等に優れた外壁外断熱用パネルを使用していた。
【０００３】
しかしながら、従来のコンパネを使用した鉄板製の外壁の型枠、石製の外壁、コンクリート製の外壁等は、耐火性、耐熱性には優れているが、重量が大きいため運搬が困難で、作業能率が良いものではなく、軽量の外壁外断熱パネルに使用されているリブは構造が複雑で取付けの際にも部材が多く手間のかかるものであった。
【特許文献１】特開平１１−２８０１８３号公報
【発明の開示】
【発明が解決しようとする課題】
【０００４】
そこで、本発明は、従来の外壁に比べて非常に軽量で、且つ強度が強く、耐火性、耐熱性、遮音性、断熱性に優れている低コストの外壁断熱用パネルを少ない部材で簡単に取り付けることができるリブ及びリブ連結材を提供することを目的とするものである。
【課題を解決するための手段】
【０００５】
本発明は、上記の課題を解決するために、長方形状の内板２ａと幅は同じで内板２ａより縦長の長方形状の外板２ｃを略台形状の中板２ｂで連結し、内板２ａの上下部に内部が中空２ｋ、２ｌの上下連結突起２ｄ、２ｅを形成したリブ本体２と、円盤状の平板３ａを左端に備え外周面にネジ山３ｃを施し内部が中空３ｂであり前記上下連結突起２ｄ、２ｅに螺合される補助材３、３とからなることを特徴とするリブの構成、リブ１を構成する補助材３に連結棒５を挿通し一端をナット６ａで留め、他端をコーン７及び板９に挿通しナット６ｂで留め、リブ１及び板９の間にできた空間にコンクリート８を流し込んで固め、板９及びコーン７並びに連結棒５の切り捨て部分５ａを取り除いた後の連結棒５の他端をコーン７により形成された空間７ａ内でナット６ｂ留めをし、前記空間７ａをコンクリート８ａで埋めて構築することを特徴とするリブを使用した外壁構築方法の構成、下部に細長い上固定溝１０ｈを形成した略楕円形状の上連結孔１０ｆ及び下部に細長い下固定溝１０ｉを形成した略楕円形状の下連結孔１０ｇを穿設した略長方形状の内板１０と、前記内板１０と同じ幅で縦長の外板１０ｂと、前記内板１０及び外板１０ｂを連結する略台形状の中板１０ａとからなることを特徴とするリブ１ａの構成、連結板１１ａの上部には２つ続きの凹部１１ｅ、１１ｅを２箇所設けるとともに下部には２つ続きの凹部１１ｅ、１１ｅを２箇所形成した略Ｔ字状の下連結凸部１１ｄを設け、左右に２つずつ係止部１１ｈ、１１ｈ、１１ｈ、１１ｈを有する接続部１１ｂ、１１ｂ、１１ｂ、１１ｂを備え、複数の貫通孔１１ｇ、１１ｇ、１１ｇ、１１ｇを穿設した連結板１１ａからなり、前記リブを接続部１１ｂに連結することを特徴とするリブ連結材１１の構成及び請求項３に記載のリブ１ａを請求項４に記載のリブ連結材１１の左右に取り付け組み立てたことを特徴とするリブの構成とした。
【発明の効果】
【０００６】
第１に本発明であるリブ及びリブ連結材は、構造が簡単で取付けのために使用する部材が少ないため容易に取り付けることができる。
【０００７】
また、リブを備えた外壁パネルとリブ連結材が別部材となっているため管理がし易く、大量の部材を一度に運搬することができ、更に組立も簡単であるため作業効率を下げる心配がない。
【発明を実施するための最良の形態】
【０００８】
軽量で、且つ強度が強く、耐火性、耐熱性、遮音性、断熱性に優れている低コストの外壁断熱用パネルを使用して建物を構築するという目的を、リブとリブ連結材とすることによって実現した。
【実施例１】
【０００９】
図１は本発明であるリブの正面図、図２はリブの左側面図、図３はリブの右側面図である。
【００１０】
図１から図３に示すように、本発明であるリブ１は、長方形状の内板２ａと幅は同じで内板２ａより縦長の長方形状の外板２ｃを略台形状の中板２ｂで連結し、内板２ａの上下部に内部が中空２ｋ、２ｌの上下連結突起２ｄ、２ｅを形成したリブ本体２と、円盤状の平板３ａを左端に備え外周面にネジ山３ｃを施し内部が中空３ｂであり前記上下連結突起２ｄ、２ｅに螺合される補助材３、３とからなる。
【００１１】
前記長方形状の内板２ａの上部には円柱状の上連結突起２ｄが形成されており、この上連結突起２ｄの内部は中空２ｋである。また、中空２ｋの内壁面にはネジ山２ｑが施されており、中空２ｋは内板２ａから外板２ｃにかけた中板２ｂにも形成されている。尚、中板２ｂは平板であるため中空２ｋを設けるために、前記上連結突起２ｄと同径の上起伏部２ｆを形成し、内部を中空２ｋとした。
【００１２】
前記長方形状の内板２ａの下部にも円柱形状の下連結突起２ｅが形成されており、この下連結突起２ｅの内部は中空２ｌである。また、中空２ｌの内壁面にはネジ山２ｒが施されており、中空２ｌは内板２ａから外板２ｃにかけた中板２ｂにも形成されている。尚、中板２ｂは平板であるため中空２ｌを設けるために、前記下連結突起２eと同径の下起伏部２ｇを形成し、内部を中空２ｌとした。前記上下連結突起２ｄ、２ｅは同形同大であり、前記上下起伏部２ｆ、２ｇも同形同大である。
【００１３】
前記上起伏部２ｆの右端は外板２ｃの上凹部２ｈに繋がっており、上凹部２ｈの中心に穿設された孔は上起伏部２ｆの中空２ｋの右端である。一方、前記下起伏部２ｇの右端も外板２ｃの下凹部２ｉに繋がっており、下凹部２ｉの中心に穿設された孔は下起伏部２ｇの中空２ｌの右端である。
【００１４】
前記上起伏部２ｆと外板２ｃが連結する部分、即ち外板２ｃの上部左面には上凸部２ｏが形成されており、下起伏部２ｇと外板２ｃが連結する部分、即ち外板２ｃの下部左面には下凸部２ｐが形成されている。
【００１５】
前記内板２ａ及び外板２ｃと中板２ｂは垂直に連結されており、即ち内板２ａと外板２ｃは常に平行の関係にある。外板２ｃに垂直に連結された中板２ｂの中央、即ち中板２ｂと外板２ｃが連結された中央部には補強材２ｊが取り付けられており、互いの連結を補強している。また、前記中板２ｂのうち上下起伏部２ｆ、２ｇの間には同形同大の２つの貫通孔２ｍ、２ｎが設けられており、図１に示すように、略台形状の貫通孔２ｍ、２ｎは中央より上下対称に設けられている。
【００１６】
前記補助材３は外周面にネジ山が施されており、内部が中空３ｂとなっている。また、左端には円盤状の平板３ａが連結されており、前記上下連結突起２ｄ、２ｅ内に螺合することができる。尚、中空３ｂは補助材３の右端から平板３ａの左端まで貫通している。
【００１７】
図４はリブを使用した状態を示した斜視図である。図４に示すように、本発明であるリブ１は外壁パネル４内に設置されて外壁パネル４と一体となり使用される。外壁パネル４は上面に無数の円状凸部４ａ、４ａ、４ａ・・・を等間隔に備え、下面に無数の円状凸部４ａ、４ａ、４ａと半円状凸部４ｂ、４ｂ、４ｂ・・・を等間隔に備えている。
【００１８】
前記外壁パネル４の下面に備えられた円状凸部４ａは外壁パネル４下面の中央に一直線にかつ等間隔に設置され、半円状凸部４ｂは、一直線設置された円状凸部４aの両側に同じく等間隔に設置されている。外壁パネル４同士を縦方向に重ねた際に一方の外壁パネル４の上面に備えられた円状凸部４ａ、４ａ、４ａが他方の外壁パネル４の下面に備えられた円状凸部４ａと半円状凸部４ｂとの隙間に嵌合し、外壁パネル４同士が隙間なく連結される。
【００１９】
外壁を構築するには、まず、外壁パネル４と一体となっているリブ１の上下の中空２ｋ、２ｌに連結棒５、５を挿通し、連結棒５の一端にワッシャ６を取付けてナット６ａで固定する。その際、連結棒５のワッシャ６及びナット６ａを取り付けた側がリブ１の外板２ｃ側になるようにし、ワッシャ６及びナット６ａが外板２ｃの上下凹部２ｈ、２ｉ内に入り込むようにする。
【００２０】
図４に示すように、連結棒５の他端にはコーン７を取付け、コーン７が通る孔を設けた板９を外から取り付け、コーン７内にはみ出した連結棒５の先端をナットで留める。更に、外壁パネル４と板９の間にコンクリート８を流し込み、コンクリート８が固まるまで待つ。コンクリート８が固まったら板９及びコーン７を取り外す。
【００２１】
図５（Ａ）、（Ｂ）、（Ｃ）は、本発明であるリブを使用した状態を示した断面図である。図５（Ａ）に示すように、本発明であるリブ１を内包した外壁パネル４を使用して外壁を構築する際は、まず、リブ１の上下連結突起２ｄ、２ｅ内に補助材３、３を螺合し、次に前記補助材３内に連結棒５を螺合する。連結棒５の端のうち、補助材３に螺合された側の一端はナット６ａでしっかりと留められ、このとき、ナット６ａは上下凹部２ｈ、２ｉ内に隠れ外壁パネル４からはみ出すことはない。
【００２２】
次に、図５（Ａ）に示すように、連結棒５の他端を略円錐状のコーン７に挿通する。このとき、コーン７の径の小さい側から連結棒５を挿通する。コーン７より突き出た連結棒５の他端を板９に挿通しナット６ｂで留め、ナット６ｂとコーン７で板９を挟んだ状態で留める。
【００２３】
以上のように設置し、外壁パネル４と板９の間にできた空間にコンクリート８を流し込み固まるまで放置する。尚、外壁パネル４と板９の距離で構築する外壁の厚さが決まるため、外壁を厚くしたい場所では長めの連結棒５を使用し外壁パネル４と板９の距離を長めにとり、コンクリート８を流し込むことになる。
【００２４】
前記コンクリート８が固まった後、図５（Ｂ）に示すように、ナット６ｂを外し、板９を取る。連結棒５のうち固まったコンクリート８より突き出ている部分を切り、切り捨て部分５ａを取り除く。また、このとき、コンクリート８からコーン７も取り除いておく。
【００２５】
コーン７が取り除かれた後、コンクリート８にはコーン７の形の空間７ａが形成されており、中央には連結棒５が飛び出している。先ほど、取り外したナット６ｂを再度連結棒５の他端に螺合し、ナット６ｂを空間７ａの奥で留める。このようにすることで、コンクリート８をリブ１（即ち外壁パネル４）とナット６ｂで締め付けている状態となり、外壁パネル４がコンクリート８から剥がれることがなくなる。
【００２６】
最後に、図５（Ｃ）に示すように、ナット６ｂが螺合されている空間７ａをコンクリート８ａで埋めることで、ナット６ｂは回転できなくなり、締め付けが緩んでしまうことも外れてしまうこともなくなる。
【実施例２】
【００２７】
図６は本発明であるリブをリブ連結材で連結した状態を示した正面図、図７はリブの正面図、図８はリブの左側面図、図９はリブを連結するリブ連結材の正面図、図１０はリブ及びリブ連結材の斜視図である。
【００２８】
図６に示すように、本発明であるリブ１ａは外壁パネル１２内に取り付けられ、リブ連結材１１の両側に左右対称に取り付けることで、両側に外壁パネル１２を備えた強度が強く、耐火性、耐熱性、遮音性、断熱性に優れている外壁とすることができる。
【００２９】
図７及び図８に示すように、本発明であるリブ１ａは、下部に細長い上固定溝１０ｈを形成した略楕円形状の上連結孔１０ｆと、下部に細長い下固定溝１０ｉを形成した略楕円形状の下連結孔１０ｇを穿設した略長方形状の内板１０と、前記内板１０と同じ幅で縦長の外板１０ｂと、前記内板１０及び外板１０ｂを連結する略台形状の中板１０ａとからなる。
【００３０】
前記中板１０ａの左右の辺のうち、短い方の辺には内板１０が垂直に連結され、長い方の辺には外板１０ｂが垂直に連結されている。従って、内板１０と外板１０ｂは常に平行の状態にある。また、中板１０ａと外板１０ｂが連結されている部分の中央には補強材１０ｅが設けられており、中板１０ａと外板１０ｂの連結を補強している。
【００３１】
図７に示すように、前記中板１０ａには同形同大の２つの貫通孔１０ｃ、１０ｄが穿設されており、この２つの貫通孔１０ｃ、１０ｄは中板１０ａの中央より上下対称に穿設されている。
【００３２】
図９及び図１０に示すように、リブ連結材１１は上部に２つ続きの凹部１１ｅ、１１ｅを２箇所設け、下部に２つ続きの凹部１１ｅ、１１ｅを２箇所形成した略Ｔ字状の下連結凸部１１ｄを備え、左右に２つずつ接続部１１ｂ、１１ｂを備えた連結板１１ａからなる。
【００３３】
前記リブ連結材１１の上面に形成された凹部１１ｅは略Ｕ字状をしており、上部の開口部１１ｆの幅は凹部１１ｅの幅よりやや広い。また、２つの凹部１１ｅは隣り合って形成されており、図８のように中央より左右対称になるように４つの凹部１１ｅが形成されている。
【００３４】
リブ連結材１１の下面は大きく湾曲した凹部１１ｃとなっており、凹部１１ｃの中央から下方に向けて略Ｔ字状の下連結凸部１１ｄが突出して設けられている。下連結凸部１１ｄの先端部は左右に張り出しており、左右に張り出した部分の上部に２つ続きの凹部１１ｅ、１１ｅが２箇所形成されている。尚、下連結凸部１１ｄに形成された凹部１１ｅも略Ｕ字状をしており、上部の開口部１１ｆの幅は凹部１１ｅの幅よりやや広い。また、下連結凸部１１ｄに設けられた凹部１１ｅは２つ続きではなく左右に１箇所ずつでも良い。
【００３５】
図１０に示すように、連結板１１ａの左右面の上部及び下部には接続部１１ｂが設けられており、接続部１１ｂの係止部１１ｈは長方形状の平板である。接続部１１ｂは、前記リブ１ａの上下連結孔１０ｆ、１０ｇに挿通され、接続部１１ｂを上下固定溝１０ｈ、１０ｉに嵌め込むことによりリブ１ａとリブ連結材１１をしっかりと連結することができる。
【００３６】
以上のように、リブ連結材１１の両端にリブ１ａを連結すると図６に示したような略Ｈ字状の外壁材となる。尚、リブ１ａは外壁パネル１２内に取り付けられている。
【００３７】
前記外壁パネル１２の上部には複数の円状凸部１２ａ、１２ａ、１２ａが等間隔かつ２列に設けられており、下部には中央に複数の円状凸部１２ａが１列かつ等間隔で設けられ、更に左右に複数の半円状凸部１２ｂが同じく等間隔で設けられている。外壁パネル１２同士を縦に重ねた際に一方の外壁パネルの上面に設けられた円状凸部１２ａが、他方の外壁パネル１２の下面に設けられた円状凸部１２ａ及び半円状凸部１２ｂの間にしっかりと嵌め込まれ、外壁パネル１２同士が隙間なく連結される。
【００３８】
外壁パネル１２を横方向で連結する場合の補強として、隣り合った各リブ連結材１１の凹部１１ｅ同士を鉄線などで連結する。以上のように上下左右方向に外壁パネル１２を連結し外壁を構築し、外壁パネル１２同士の間にコンクリートを流し込み内外の壁が外壁パネル１２となった壁とすることができる。
【図面の簡単な説明】
【００３９】
【図１】本発明であるリブの正面図である。
【図２】本発明であるリブの左側面図である。
【図３】本発明であるリブの右側面図である。
【図４】本発明であるリブを使用した状態を示した斜視図である。
【図５】本発明であるリブを使用した外壁構築方法を示した断面図である。
【図６】本発明であるリブをリブ連結材で連結した状態を示した正面図である。
【図７】本発明であるリブの正面図である。
【図８】本発明であるリブの左側面図である。
【図９】本発明であるリブを連結するリブ連結材の正面図である。
【図１０】本発明であるリブ及びリブ連結材の斜視図である。
【符号の説明】
【００４０】
１      リブ
１ａ    リブ
２      リブ本体
２ａ    内板
２ｂ    中板
２ｃ    外板
２ｄ    上連結突起
２ｅ    下連結突起
２ｆ    上起伏部
２ｇ    下起伏部
２ｈ    上凹部
２ｉ    下凹部
２ｊ    補強材
２ｋ    中空
２ｌ    中空
２ｍ    貫通孔
２ｎ    貫通孔
２ｏ    上凸部
２ｐ    下凸部
２ｑ    ネジ山
２ｒ    ネジ山
３      補助材
３ａ    平板
３ｂ    中空
３ｃ    ネジ山
４      外壁パネル
４ａ    円状凸部
４ｂ    半円状凸部
５      連結棒
５ａ    切り捨て部分
６      ワッシャ
６ａ    ナット
６ｂ    ナット
７      コーン
７ａ    空間
８      コンクリート
８ａ    コンクリート
９      板
１０      内板
１０ａ    中板
１０ｂ    外板
１０ｃ    貫通孔
１０ｄ    貫通孔
１０ｅ    補強材
１０ｆ    上連結孔
１０ｇ    下連結孔
１０ｈ    上固定溝
１０ｉ    下固定溝
１１      リブ連結材
１１ａ    連結板
１１ｂ    接続部
１１ｃ    凹部
１１ｄ    下連結凸部
１１ｅ    凹部
１１ｆ    開口部
１１ｇ    貫通孔
１１ｈ    係止部
１２      外壁パネル
１２ａ    円状凸部
１２ｂ    半円状凸部
１３      リブ
【図１】
2007291758.tif 000003
【図２】
2007291758.tif 000004
【図３】
2007291758.tif 000005
【図４】
2007291758.tif 000006
【図５】
2007291758.tif 000007
【図６】
2007291758.tif 000008
【図７】
2007291758.tif 000009
【図８】
2007291758.tif 000010
【図９】
2007291758.tif 000011
【図１０】
2007291758.tif 000012